(57)【要約】【課題】本発明は、搬送物に強い衝撃を与えることなく傷やクラックの発生も少なく、又ローラチェーン間に架設されバケットを支持する連結軸が直線からカーブに移る際のピッチ間距離に変化が生ずるも、特別なチェーンを用いないでバケット自体でその変化に対応し移動できるようにして、コンベア自体を安価に提供し、且組立作業や交換作業のしやすいバケットを提供しようとするものである。【解決手段】全体が軟質合成樹脂製のベルト地からなるバケット本体の夫々は、前口縁部に設けた前連結片と、後部の中間部に設け隣接するバケット本体の前連結片に対応して組み合わさる後連結片とを設けており、これら前連結片と隣接するバケット本体の後連結片に、チェーン間に架設された連結軸を相通自在とし、後口縁部には容易には曲がらない補強を施したものであり、更には前口縁部に前方向に傾斜しているヒレ部を設けて隣接するバケット本体の後壁面に接触自在とした搬送コンベア用バケットである。【選択図】　図１
2004010300.tif 000002
【特許請求の範囲】
【請求項１】
全体が軟質合成樹脂製のベルト地からなるバケット本体の夫々は、前口縁部に設けた前連結片と、後部の中間部に設け隣接するバケット本体の前連結片に対応して組み合わさる後連結片とを設けており、これら前連結片と隣接するバケット本体の後連結片に、チェーン間に架設された連結軸を相通自在とし、後口縁部には容易には曲がらない補強を施してなる搬送コンベア用バケット。
【請求項２】
前口縁部には前方向に傾斜しているヒレ部を設けて隣接するバケット本体の後壁面に接触自在とした請求項１記載の搬送コンベア用バケット。
【発明の詳細な説明】
【０００１】
【産業上の利用分野】
本発明はバケット式搬送コンベアのバケットに関する。
【０００２】
【従来の技術及びその欠点】
従来のバケット式搬送コンベアのバケットは、硬質プラスチック製や金属製等の硬い部材を使用したものであり、そのため搬送物に強い衝撃を与えて傷やクラックを発生させる恐れがあり、又ローラチェーン間に架設されバケットを支持する連結軸が直線からカーブに移る際にピッチ間距離に変化が生ずるため、そのピッチ間距離の変化に対応し移動するための特殊な部品を用いたローラチェーンを必要とし、高価なものとなる。
【０００３】
又硬質プラスチック製や金属製のバケットは製造に際して金型を必要とし、製造コストを高めており、当然のことながら異なるサイズに対して対応がとりにくいなどの欠点を有する。
【０００４】
【発明が解決しようとする課題】
そこで本発明はこれらの欠点を解消すべく開発されたもので、搬送物に強い衝撃を与えることなく傷やクラックの発生も少なく、又ローラチェーン間に架設されバケットを支持する連結軸が直線からカーブに移る際のピッチ間距離に変化が生ずるも、特別なチェーンを用いないでバケット自体でその変化に対応し移動できるようにして、コンベア自体を安価に提供し、且組立作業や交換作業のしやすいバケットを提供しようとするものである。
【０００４】
【課題を解決するための手段】
全体が軟質合成樹脂製のベルト地からなるバケット本体の夫々は、前口縁部に設けた前連結片と、後部の中間部に設け隣接するバケット本体の前連結片に対応して組み合わさる後連結片とを設けており、これら前連結片と隣接するバケット本体の後連結片に、チェーン間に架設された連結軸を挿通自在とし、後口縁部には容易には曲がらない補強を施し、更に前口縁部には前方向に傾斜しているヒレ部を設けて隣接するバケット本体の後壁面に接触自在としたものである。
【０００５】
【実施例】
本発明を図示の実施例により詳細に説明すると、全体が、主材料が軟質合成樹脂製のベルト地からなるバケット本体１の夫々は、前口縁部２に設けた前連結片３と、後部の中間部に設け隣接するバケット本体１の前連結片３に対応し組み合わさる後連結片４とを設けており、これら前連結片３と隣接するバケット本体１の後連結片４に、ローラチェーン５間に架設された連結軸６を挿通自在とし、後口縁部７には容易には曲がらない補強８を施してなるものである。
【０００６】
更に前口縁部２には前方向に傾斜しているヒレ部９を設けて隣接するバケット本体１の後壁面１０に接触自在として、隣接するバケット１，１間の隙間をなくし、これによって搬送物をバケットに素直に落ち込ませるようにし、バケット１外へのこぼれを最小限に食い止めることができる。このヒレ部はバケット本体１を構成する部材と同部材を使用すると良い。
【０００７】
ベルト地は、予め設計・プログラムされた寸法にカットし、溶着、折り曲げ加工等を施してバケット本体１を構成することができる。
【０００８】
補強８手段としては、バケット本体１の生地自体をパイプ状に曲げ加工をしたり、或は別途部材を取り付けるなどの汎用手段によって行うようにする。
【０００９】
【作用】
本発明は以上のようになるもので、以下その作用を説明すると、バケット本体１，１は図２に示すようにコーナ位置に来ると、ローラチェーン間に架設された連結軸６，６のピッチ間距離に変化が生ずるも、バケット本体１は全体が軟質合成樹脂製のベルト地からできているため、図３の二点鎖線に示すようにバケット自体が膨らみ特別なチェーンを用いないでバケット自体でピッチ間距離の変化に対応し移動する。
【００１０】
搬送物を収納する位置においてバケット本体１，１は図１の実線位置にあり、このときヒレ部９は隣接するバケット本体１の後壁面１０に接触していて搬送物を素直にバケット本体１内に収納でき、外へのこぼれ落ちるのを最小限防止できる。
【００１１】
【効果】
本発明は叙上のように、　全体が軟質合成樹脂製のベルト地からなるバケット本体の夫々は、前口縁部に設けた前連結片と、後部の中間部に設け隣接するバケット本体の前連結片に対応して組み合わさる後連結片とを設けており、これら前連結片と隣接するバケット本体の後連結片に、チェーン間に架設された連結軸を相通自在とし、後口縁部には容易には曲がらない補強を施してあるので、搬送物に強い衝撃を与えることなく傷やクラックの発生も少なく、又コーナ位置に来ると、ローラチェーン間に架設された連結軸のピッチ間距離に変化が生ずるも、バケット本体自体が膨らみ特別の部品を用いないでバケット自体でピッチ間距離の変化に対応し移動することができ、コンベア自体を安価に提供でき、又製造に際しては平ベルトを予め設計・プログラムされた寸法にカッティングされるため、バケットの大きさ（幅・奥行き・懐深さ）を金型を必要としないで任意に変更することができる。
【００１２】
又後口縁部には補強を施しているので収納物は不用意にこぼれ落ちる恐れがなく、又補強手段としてパイプ状に曲げるだけの加工でも十分な強度を保つことができ、安価に提供できるようになる。
【００１３】
全体が軟質合成樹脂製のベルト地よりできているため、その豊富な種類から搬送物に最適な合成樹脂製のベルト地（例えば、対付着性・対カビ性・対薬品性などに適した。）を選ぶことができ、多様な搬送物に対応できる。
【００１４】
又個々に完結したバケット本体であるので、破損等が生じた場合は連結軸を抜くのみで簡単に取替えができ作業が簡単である。
【００１５】
更に、前口縁部には前方向に傾斜しているヒレ部を設けて隣接するバケット本体の後壁面に接触自在としてあるので、搬送物をバケットに素直に落ち込ませることができ、バケット本体の外へのこぼれを最小限に食い止めることができる。これは従来の連続バケットの欠点を解消するものである。
【図面の簡単な説明】
【図１】本発明に係るバケットの作動状態を示した側面説明図。
【図２】本発明に係るバケットをローラチェーンに取り付けた状態の作動説明図。
【図３】コーナ位置におけるバケットの膨らみ状態を示した平面説明図。
【符号の説明】
１はバケット本体
２は前口縁部
３は前連結片
４は後連結片
５はローラチェーン
６は連結軸
７は後口縁部
８は補強
９はヒレ部
１０は後壁面
【図１】
2004010300.tif 000003
【図２】
2004010300.tif 000004
【図３】
2004010300.tif 000005